(57)【要約】【課題】蓋の破損や筐体の転倒を生じ難くし、かつ、設置スペースの問題を抑制する。【解決手段】プリンタ１０の筐体１内に、タンク格納部１ｔが設けられている。タンク格納部１ｔは、筐体１におけるタンク格納部１ｔ以外の部分よりも筐体１の前方に突出した突出部１ｓを構成している。突出部１ｓの前面には、タンク格納部１ｔと筐体１の外部とを連通させる開口１ｘが形成されている。筐体１には、開口１ｘを閉じる閉位置と開口１ｘを開く開位置とを選択的に取り得る蓋９が取り付けられている。蓋９は、上下方向にスライド可能であり、閉位置から上方にスライドして開位置を取り得る。【選択図】図２
2018153961.tif 000002
【特許請求の範囲】
【請求項１】
液体を吐出する吐出部と、
前記吐出部に供給される液体を収容するタンクが格納されるタンク格納部を有する筐体であって、前記タンク格納部と前記筐体の外部とを連通させる開口が形成された筐体と、
前記筐体に取り付けられ、前記開口を閉じる閉位置と前記開口を開く開位置とを選択的に取り得る蓋と、
前記筐体の前面及び上面の少なくともいずれか一方に設けられた操作パネルであって、外部から操作される操作部を有し、前記筐体の前方から観察されたときに前記操作部が正規の方向を向くように配置された操作パネルとを備え、
前記タンク格納部は、前記筐体における前記タンク格納部以外の部分よりも前記筐体の前方に突出した突出部を構成し、前記突出部の前面に前記開口が形成されており、
前記蓋は、前記筐体に対して上下方向にスライド可能に取り付けられており、前記閉位置から上方にスライドして前記開位置を取り得ることを特徴とする液体吐出装置。
【請求項２】
前記吐出部と対向する対向位置を経由するように記録媒体を搬送する搬送部と、
前記搬送部によって搬送されて前記対向位置を経由した記録媒体を受容する受容部とをさらに備え、
前記筐体の上面に、前記受容部が設けられており、
前記受容部を上下方向と直交する仮想平面上に上下方向から射影した射影領域と、前記蓋を前記仮想平面上に上下方向から射影した射影領域とが、互いに重ならないことを特徴とする請求項１に記載の液体吐出装置。
【請求項３】
記録媒体に形成された画像を読み取る画像読取部をさらに備え、
前記筐体の上面に、前記画像読取部が設けられており、
前記画像読取部を上下方向と直交する仮想平面上に上下方向から射影した射影領域と、前記蓋を前記仮想平面上に上下方向から射影した射影領域とが、互いに重ならないことを特徴とする請求項１に記載の液体吐出装置。
【請求項４】
前記画像読取部は、水平方向に沿った軸を中心として回動可能な回動部材を有し、
前記蓋のスライド範囲の上限位置は、前記回動部材の回動範囲の上限位置と同一レベル以下であることを特徴とする請求項３に記載の液体吐出装置。
【請求項５】
前記タンクは、カートリッジ式であり、前記タンク格納部に格納された格納位置と、前記格納位置よりも前方の未格納位置とを取り得、
前記蓋は、前記開位置から前記閉位置に向けて下方にスライドするときに、前記格納位置にある前記タンクとは接触せず、前記未格納位置にある前記タンクと接触する接触部を有し、前記接触部が前記未格納位置にある前記タンクと接触することで、前記蓋が前記閉位置に至らないように構成されたことを特徴とする請求項１〜４のいずれか１項に記載の液体吐出装置。
【請求項６】
前記接触部が前記未格納位置にある前記タンクと接触するとき、前記開口の一部が前記蓋に覆われていないことを特徴とする請求項５に記載の液体吐出装置。
【請求項７】
前記タンクは、液体補充式であり、前記タンク内に液体を補充するための補充口と、前記補充口を密閉する密閉位置と前記補充口を密閉しない非密閉位置とを取り得る栓とを有し、
前記蓋は、前記開位置から前記閉位置に向けて下方にスライドするときに、前記密閉位置にある前記栓とは接触せず、前記非密閉位置にある前記栓と接触する接触部を有し、前記接触部が前記非密閉位置にある前記栓と接触することで、前記蓋が前記閉位置に至らないように構成されたことを特徴とする請求項１〜４のいずれか１項に記載の液体吐出装置。
【請求項８】
前記蓋が前記閉位置にあるときに前記開口を密閉するように前記筐体と前記蓋とを嵌合させる嵌合部をさらに備えたことを特徴とする請求項１〜７のいずれか１項に記載の液体吐出装置。
【請求項９】
前記嵌合部は、
前記筐体及び前記蓋の一方に設けられた凹部と、
前記筐体及び前記蓋の他方に設けられ、前記凹部に挿入される凸部とを含み、
前記凹部及び前記凸部がそれぞれ前記開口の全周に亘って形成されていることを特徴とする請求項８に記載の液体吐出装置。
【請求項１０】
前記嵌合部は、
前記筐体及び前記蓋の一方の、前記開口の両側部に設けられ、前記蓋が前記開位置から前記閉位置に向かうときに前記蓋を後方に導くガイド溝と、
前記筐体及び前記蓋の他方の、前記開口の両側部に設けられ、前記ガイド溝に挿入されるガイドリブと、
前記筐体と前記閉位置にある前記蓋とに挟持された弾性部材とを含むことを特徴とする請求項８に記載の液体吐出装置。
【発明の詳細な説明】
【技術分野】
【０００１】
本発明は、吐出部と、吐出部に供給される液体を収容するタンクが格納されるタンク格納部を有する筐体とを備えた液体吐出装置に関する。
【背景技術】
【０００２】
特許文献１（図１、図２３）には、タンクユニット（タンク格納部）が装置本体（筐体）の右側面に設けられた構成が示されている。
【先行技術文献】
【特許文献】
【０００３】
【特許文献１】特開２０１４−５４８２５号公報
【発明の概要】
【発明が解決しようとする課題】
【０００４】
特許文献１の構成では、液体吐出装置の左右方向のサイズが大きくなり、液体吐出装置の設置スペースに支障が生じ得る。一方、液体吐出装置の前方には、ユーザの作業スペースが予め確保されるのが一般である。そこで、タンク格納部を筐体の側方ではなく筐体の前方に突出させて突出部を構成することで、設置スペースの問題を抑制することが考えられる。
【０００５】
しかしながら、上記のようにタンク格納部を前方に突出させた場合でも、タンク格納部と筐体の外部とを連通させる開口を閉じる蓋が、筐体に対して左右方向にスライド可能に取り付けられており、筐体から左右方向にはみ出してしまうと、液体吐出装置の左右方向のスペースを確保する必要が生じ、設置スペースの問題を抑制することができない。
【０００６】
また、上記のようにタンク格納部を前方に突出させた場合において、蓋が筐体に対して回動可能に取り付けられていると、蓋の回動範囲の分、液体吐出装置の前方にさらにスペースを確保する必要が生じる。しかも、開いた状態の蓋にユーザが接触することで、蓋の破損や、筐体の前方への転倒が生じ得る。
【０００７】
本発明の目的は、蓋の破損や筐体の転倒が生じ難く、かつ、設置スペースの問題を抑制することができる、液体吐出装置を提供することにある。
【課題を解決するための手段】
【０００８】
本発明に係る液体吐出装置は、液体を吐出する吐出部と、前記吐出部に供給される液体を収容するタンクが格納されるタンク格納部を有する筐体であって、前記タンク格納部と前記筐体の外部とを連通させる開口が形成された筐体と、前記筐体に取り付けられ、前記開口を閉じる閉位置と前記開口を開く開位置とを選択的に取り得る蓋と、前記筐体の前面及び上面の少なくともいずれか一方に設けられた操作パネルであって、外部から操作される操作部を有し、前記筐体の前方から観察されたときに前記操作部が正規の方向を向くように配置された操作パネルとを備え、前記タンク格納部は、前記筐体における前記タンク格納部以外の部分よりも前記筐体の前方に突出した突出部を構成し、前記突出部の前面に前記開口が形成されており、前記蓋は、前記筐体に対して上下方向にスライド可能に取り付けられており、前記閉位置から上方にスライドして前記開位置を取り得ることを特徴とする。
【０００９】
本発明によれば、タンク格納部を前方に突出させると共に、蓋を筐体に対して上下方向にスライド可能としたことで、蓋の破損や筐体の転倒が生じ難く、かつ、スペースに余裕のあることが多い液体吐出装置の前方空間及び上方空間を有効活用して設置スペースの問題を抑制することができる。
【００１０】
本発明に係る液体吐出装置は、前記吐出部と対向する対向位置を経由するように記録媒体を搬送する搬送部と、前記搬送部によって搬送されて前記対向位置を経由した記録媒体を受容する受容部とをさらに備え、前記筐体の上面に、前記受容部が設けられており、前記受容部を上下方向と直交する仮想平面上に上下方向から射影した射影領域と、前記蓋を前記仮想平面上に上下方向から射影した射影領域とが、互いに重ならなくてよい。この場合、蓋が筐体に対して上下方向にスライドするときに、蓋が受容部に接触することがない。したがって、蓋が受容部と接触することで破損する問題を抑制することができる。
【００１１】
本発明に係る液体吐出装置は、記録媒体に形成された画像を読み取る画像読取部をさらに備え、前記筐体の上面に、前記画像読取部が設けられており、前記画像読取部を上下方向と直交する仮想平面上に上下方向から射影した射影領域と、前記蓋を前記仮想平面上に上下方向から射影した射影領域とが、互いに重ならなくてよい。この場合、蓋が筐体に対して上下方向にスライドするときに、蓋が画像読取部に接触することがない。したがって、蓋が画像読取部と接触することで破損する問題を抑制することができる。
【００１２】
前記画像読取部は、水平方向に沿った軸を中心として回動可能な回動部材を有し、前記蓋のスライド範囲の上限位置は、前記回動部材の回動範囲の上限位置と同一レベル以下であってよい。この場合、蓋のスライドのために上方のスペースを確保する必要がない。
【００１３】
前記タンクは、カートリッジ式であり、前記タンク格納部に格納された格納位置と、前記格納位置よりも前方の未格納位置とを取り得、前記蓋は、前記開位置から前記閉位置に向けて下方にスライドするときに、前記格納位置にある前記タンクとは接触せず、前記未格納位置にある前記タンクと接触する接触部を有し、前記接触部が前記未格納位置にある前記タンクと接触することで、前記蓋が前記閉位置に至らないように構成されてよい。この場合、ユーザは、蓋が閉位置に至らないことで、タンクが適正に格納されていないことを確認することができる。
【００１４】
前記接触部が前記未格納位置にある前記タンクと接触するとき、前記開口の一部が前記蓋に覆われていなくてよい。この場合、ユーザは、開口の一部を視認することで、タンクがタンク格納部に適正に格納されていないことを確認することができる。
【００１５】
前記タンクは、液体補充式であり、前記タンク内に液体を補充するための補充口と、前記補充口を密閉する密閉位置と前記補充口を密閉しない非密閉位置とを取り得る栓とを有し、前記蓋は、前記開位置から前記閉位置に向けて下方にスライドするときに、前記密閉位置にある前記栓とは接触せず、前記非密閉位置にある前記栓と接触する接触部を有し、前記接触部が前記非密閉位置にある前記栓と接触することで、前記蓋が前記閉位置に至らないように構成されてよい。この場合、ユーザは、蓋が閉位置に至らないことで、補充口が密閉されていないことを確認することができる。
【００１６】
本発明に係る液体吐出装置は、前記蓋が前記閉位置にあるときに前記開口を密閉するように前記筐体と前記蓋とを嵌合させる嵌合部をさらに備えてよい。この場合、開口を介してタンク格納部に粉塵が侵入することを防止することができる。
【００１７】
前記嵌合部は、前記筐体及び前記蓋の一方に設けられた凹部と、前記筐体及び前記蓋の他方に設けられ、前記凹部に挿入される凸部とを含み、前記凹部及び前記凸部がそれぞれ前記開口の全周に亘って形成されてよい。この場合、開口を介してタンク格納部に粉塵が侵入することをより確実に防止することができる。
【００１８】
前記嵌合部は、前記筐体及び前記蓋の一方の、前記開口の両側部に設けられ、前記蓋が前記開位置から前記閉位置に向かうときに前記蓋を後方に導くガイド溝と、前記筐体及び前記蓋の他方の、前記開口の両側部に設けられ、前記ガイド溝に挿入されるガイドリブと、前記筐体と前記閉位置にある前記蓋とに挟持された弾性部材とを含んでよい。この場合、開口を介してタンク格納部に粉塵が侵入することをより確実に防止することができる。
【発明の効果】
【００１９】
本発明によれば、タンク格納部を前方に突出させると共に、蓋を筐体に対して上下方向にスライド可能としたことで、蓋の破損や筐体の転倒が生じ難く、かつ、スペースに余裕のあることが多い液体吐出装置の前方空間及び上方空間を有効活用して設置スペースの問題を抑制することができる。
【図面の簡単な説明】
【００２０】
【図１】本発明の第１実施形態に係るプリンタの正面図である。
【図２】本発明の第１実施形態に係るプリンタの側面図である。
【図３】本発明の第１実施形態に係るプリンタの内部を示す正面図である。
【図４】図１のＩＶ−ＩＶ線に沿った断面図である。
【図５】図１のＶ−Ｖ線に沿った断面図である。
【図６】蓋が下方にスライドするときに未格納位置にあるタンクと接触した状態を示す、図５に対応する断面図である。
【図７】本発明の第２実施形態に係るプリンタにおける、図５に対応する断面図である。
【図８】蓋が下方にスライドするときに非密閉位置にある栓と接触した状態を示す、図７に対応する断面図である。
【図９】本発明の第３実施形態に係るプリンタの筐体におけるタンク格納部近傍を示す斜視図である。
【図１０】本発明の第３実施形態に係るプリンタの蓋を示す斜視図である。
【発明を実施するための形態】
【００２１】
＜第１実施形態＞
本発明の第１実施形態に係るプリンタ１０は、図１〜図３に示すように、直方体形状の筐体１を有する。
【００２２】
筐体１の前面１ａには、図１に示すように、収容部２を装着するための開口１ａｘが形成されている。収容部２は、筐体１に対して着脱可能であり、開口１ａｘから筐体１内に挿入される。収容部２は、図３に示すように、複数の用紙Ｐを積載して収容可能である。
【００２３】
筐体１の内部には、図３に示すように、インクを吐出する吐出部３と、用紙Ｐを搬送する搬送部４と、タンク格納部１ｔとが設けられている。タンク格納部１ｔには、インクを収容するタンクＴが格納される。筐体１の上面１ｃには、用紙Ｐを受容する受容部５が設けられている。
【００２４】
吐出部３は、タンクＴと連通しており、タンクＴから供給されたインクを複数の吐出口（図示略）から吐出させる。吐出部３は、複数の吐出口が開口した吐出面３ｘを有する。
【００２５】
搬送部４は、収容部２に収容された複数の用紙Ｐのうち最上層の用紙Ｐと接触するように配置されたローラ４ａと、搬送経路に沿って互いに離隔して配置された複数のローラ対４ｂ〜４ｆと、吐出面３ｘと対向するプラテン４ｐと、搬送経路を画定するガイド板４ｇとを含む。搬送部４は、収容部２に収容された複数の用紙Ｐのうち最上層の用紙Ｐを、吐出面３ｘと対向する対向位置Ｏを経由するように搬送する。
【００２６】
受容部５は、搬送部４によって搬送されて対向位置Ｏを経由した用紙Ｐ（即ち、表面にインクが吐出され、記録が行われた用紙Ｐ）を受容する。
【００２７】
筐体１の前面１ａには、さらに、図１に示すように、操作パネル８が設けられている。操作パネル８は、タッチパネル式ディスプレイ８ａと、キーボード８ｂとを有する。プリンタ１０のユーザは、筐体１の前方から、タッチパネル式ディスプレイ８ａ及びキーボード８ｂを操作することが可能である。タッチパネル式ディスプレイ８ａ及びキーボード８ｂは、外部から操作される操作部に該当し、筐体１の前方から観察されたときに正規の方向を向くように（つまり、タッチパネル式ディスプレイ８ａ及びキーボード８ｂに表示される文字等の記号が正しい方向を向いているとユーザが認識できるように）配置されている。
【００２８】
筐体１は、図２に示すように、タンク格納部１ｔが設けられた部分が、タンク格納部１ｔ以外の部分よりも前方に突出している。換言すると、タンク格納部１ｔは、筐体１におけるタンク格納部１ｔ以外の部分よりも筐体１の前方に突出した突出部１ｓを構成している。
【００２９】
突出部１ｓの前面には、タンク格納部１ｔと筐体１の外部とを連通させる開口１ｘが形成されている。筐体１には、開口１ｘを閉じる閉位置（図２に実線で示す位置）と開口１ｘを開く開位置（図２に破線で示す位置）とを選択的に取り得る蓋９が取り付けられている。蓋９は、筐体１に対して上下方向にスライド可能であり、閉位置から上方にスライドして開位置を取り得る。
【００３０】
筐体１の上面１ｃには、さらに、図１に示すように、スキャナ６が設けられている。スキャナ６は、用紙Ｐに形成された画像を読み取る画像読取部に該当する。スキャナ６のカバー６ａは、図２に示すように、水平方向（左右方向）に沿った軸６ａｘを中心として回動可能である。即ち、カバー６ａは、筐体１に対して回動可能に取り付けられている。
【００３１】
図２に破線で示すように、蓋９のスライド範囲の上限位置は、カバー６ａの回動範囲の上限位置よりも下方にある。また、蓋９を上下方向と直交する仮想平面上に上下方向から射影した射影領域Ａ９は、受容部５を仮想平面上に上下方向から射影した射影領域Ａ５、及び、スキャナ６を仮想平面上に上下方向から射影した射影領域Ａ６の、いずれとも重ならない。
【００３２】
図４及び図５に示すように、筐体１は凸部１ｐ及び凹部１ｑを有し、蓋９は凸部９ｐ及び凹部９ｑを有する。
【００３３】
凸部１ｐは、突出部１ｓの両側面において上下方向に延在する部分と、突出部１ｓの上面１ｃにおいて左右方向に延在する部分とを含み、これら部分が繋がって一体となっている。凹部９ｑは、蓋９の両側部の内面において上下方向に延在する部分と、蓋９の上部の内面において左右方向に延在する部分とを含み、これら部分が繋がって一体となっている。蓋９が閉位置を取るとき、凸部１ｐが凹部９ｑに挿入される。
【００３４】
凸部９ｐは、蓋９の下辺に沿って延在している。凹部１ｑは、突出部１ｓの下端における、蓋９の下辺と対向する部分に設けられている。蓋９が閉位置を取るとき、凸部９ｐが凹部１ｑに挿入される。
【００３５】
凸部１ｐ及び凹部１ｑは、開口１ｘの全周に亘って形成されている。凸部９ｐ及び凹部９ｑも、同様に、開口１ｘの全周に亘って形成されている。したがって、蓋９が閉位置を取るとき、凸部１ｐと凹部９ｑとが嵌合しかつ凸部９ｐと凹部１ｑとが嵌合することで、開口１ｘが密閉される。
【００３６】
タンクＴは、カートリッジ式であり、タンク格納部１ｔに格納された格納位置（図５に示す位置）と、格納位置よりも前方の未格納位置（図６に示す位置）とを取り得る。
【００３７】
蓋９の下端部分の内面には、突起９ｒが設けられている。蓋９が開位置から閉位置に向けて下方にスライドするとき、突起９ｒは、格納位置にあるタンクＴとは接触しない（図５参照）が、未格納位置にあるタンクＴとは接触する（図６参照）。即ち、図６に示すように、タンクＴが、タンク格納部１ｔに適正に格納されておらず、未格納位置にあるときに、蓋９を開位置から閉位置に向けて下方にスライドさせると、突起９ｒがタンクＴと接触し、蓋９を閉位置に至らせることができない。このとき、開口１ｘの上端部分は蓋９の下端部分に覆われているが、開口１ｘの上端部分を除く大部分は蓋９に覆われていない。
【００３８】
以上に述べたように、本実施形態によれば、タンク格納部１ｔを前方に突出させると共に、蓋９を筐体１に対して上下方向にスライド可能としたことで、蓋９の破損や筐体１の転倒が生じ難く、かつ、スペースに余裕のあることが多いプリンタ１０の前方空間及び上方空間を有効活用して設置スペースの問題を抑制することができる。
【００３９】
筐体１の上面１ｃに受容部５が設けられており、射影領域Ａ５，Ａ９が互いに重ならない（図２参照）。この場合、蓋９が筐体１に対して上下方向にスライドするときに、蓋９が受容部５に接触することがない。したがって、蓋９が受容部５と接触することで破損する問題を抑制することができる。
【００４０】
筐体１の上面１ｃにスキャナ６が設けられており、射影領域Ａ６，Ａ９が互いに重ならない（図２参照）。この場合、蓋９が筐体１に対して上下方向にスライドするときに、蓋９がスキャナ６に接触することがない。したがって、蓋９がスキャナ６と接触することで破損する問題を抑制することができる。
【００４１】
蓋９のスライド範囲の上限位置は、カバー６ａの回動範囲の上限位置と同一レベル以下である（図２参照）。この場合、蓋９のスライドのために上方のスペースを確保する必要がない。
【００４２】
突起９ｒが未格納位置にあるタンクＴと接触することで、蓋９が閉位置に至らないように構成されている（図６参照）。この場合、ユーザは、蓋９が閉位置に至らないことで、タンクＴが適正に格納されていないことを確認することができる。
【００４３】
突起９ｒが未格納位置にあるタンクＴと接触するとき、開口１ｘの一部が蓋９に覆われていない（図６参照）。この場合、ユーザは、開口１ｘの一部を視認することで、タンクＴがタンク格納部１ｔに適正に格納されていないことを確認することができる。
【００４４】
プリンタ１０は、蓋９が閉位置にあるときに開口１ｘを密閉するように筐体１と蓋９とを嵌合させる嵌合部（筐体１の凸部１ｐ及び凹部１ｑ、並びに、蓋９の凸部９ｐ及び凹部９ｑ）をさらに備えている。この場合、開口１ｘを介してタンク格納部１ｔに粉塵が侵入することを防止することができる。
【００４５】
嵌合部は、筐体１の凸部１ｐ及び凹部１ｑと、蓋９の凸部９ｐ及び凹部９ｑとを含む。凸部１ｐ及び凹部１ｑは、開口１ｘの全周に亘って形成されている。凸部９ｐ及び凹部９ｑも、同様に、開口１ｘの全周に亘って形成されている。この場合、開口１ｘを介してタンク格納部１ｔに粉塵が侵入することをより確実に防止することができる。
【００４６】
＜第２実施形態＞
本発明の第２実施形態に係るプリンタ２１０は、タンクＴの構成が第１実施形態に係るプリンタ１０と異なり、それ以外は第１実施形態に係るプリンタ１０と同じである。
【００４７】
本実施形態のタンクＴは、図７及び図８に示すように、カートリッジ式ではなく、インク補充式であり、タンク格納部１ｔの定位置に配置されている。タンクＴは、タンクＴ内にインクを補充するための補充口Ｔｂと、補充口Ｔｂを密閉する密閉位置（図７に示す位置）と補充口Ｔｂを密閉しない非密閉位置（図８に示す位置）とを取り得る栓Ｔｃとを有する。補充口Ｔｂ及び栓Ｔｃは、タンクＴの前端部に設けられている。
【００４８】
蓋９が開位置から閉位置に向けて下方にスライドするとき、突起９ｒは、密閉位置にある栓Ｔｃとは接触しない（図７参照）が、非密閉位置にある栓Ｔｃと接触する（図８参照）。即ち、図８に示すように、栓Ｔｃが補充口Ｔｂに適正に取り付けられていないときに、蓋９を開位置から閉位置に向けて下方にスライドさせると、突起９ｒが栓Ｔｃと接触し、蓋９を閉位置に至らせることができない。このとき、開口１ｘの上端部分は蓋９の下端部分に覆われているが、開口１ｘの上端部分を除く大部分は蓋９に覆われていない。
【００４９】
本実施形態によれば、突起９ｒが非密閉位置にある栓Ｔｃと接触することで、蓋９が閉位置に至らないように構成されている。この場合、ユーザは、蓋９が閉位置に至らないことで、補充口Ｔｂが密閉されていないことを確認することができる。
【００５０】
＜第３実施形態＞
本発明の第３実施形態に係るプリンタ３１０は、嵌合部の構成が第１実施形態に係るプリンタ１０と異なり、それ以外は第１実施形態に係るプリンタ１０と同じである。
【００５１】
本実施形態では、凹部１ｑ及び凸部９ｐは第１実施形態と同様に設けられているが、凸部１ｐ及び凹部９ｑは設けられていない。
【００５２】
突出部１ｓの両側面に、ガイド溝３０１ｇが設けられている。ガイド溝３０１ｇは、湾曲溝３０１ｇ１と、鉛直溝３０１ｇ２とを含む。湾曲溝３０１ｇ１は、突出部１ｓの上端から、下方かつ後方に向かって、湾曲して延在している。鉛直溝３０１ｇ２は、湾曲溝３０１ｇ１の下端から、突出部１ｓの下端に向かって、鉛直方向に延在している。
【００５３】
蓋３０９の両側部の内面に、ガイドリブ３０９ｒが設けられている。各ガイドリブ３０９ｒは、当該内面から内側に向かって突出しており、ガイド溝３０１ｇに挿入される。ガイド溝３０１ｇ及びガイドリブ３０９ｒは、共に、開口１ｘの両側部に設けられている。
【００５４】
蓋３０９の両側部及び上部の端面には、スポンジ等からなる弾性部材３０９ｓが設けられている。
【００５５】
湾曲溝３０１ｇ１の上端にガイドリブ３０９ｒを挿入して、蓋３０９を下方に移動させると、湾曲溝３０１ｇ１の形状に沿って、蓋３０９が下方かつ後方に導かれる。つまり、蓋３０９が開位置から閉位置に向かうとき、ガイド溝３０１ｇとガイドリブ３０９ｒとの協働により、蓋３０９が後方に導かれる。そして、蓋３０９が閉位置に至ると同時に、弾性部材３０９ｓの端面３０９ｓａが筐体１の圧接面３０１ａに圧接される。このとき、弾性部材３０９ｓは、筐体１と蓋３０９とに挟持される。
【００５６】
本実施形態によれば、嵌合部は、蓋３０９が開位置から閉位置に向かうときに蓋３０９を後方に導くガイド溝３０１ｇと、ガイド溝３０９ｇに挿入されるガイドリブ３０９ｒと、筐体１と閉位置にある蓋３０９とに挟持された弾性部材３０９ｓとを含む。この場合、開口１ｘを介してタンク格納部１ｔに粉塵が侵入することをより確実に防止することができる。
【００５７】
以上、本発明の好適な実施の形態について説明したが、本発明は上述の実施形態に限られるものではなく、特許請求の範囲に記載した限りにおいて様々な設計変更が可能なものである。
【００５８】
＜変形例＞
・操作パネルは、筐体の上面に設けられてもよく、筐体の前面及び上面の両方に設けられてもよい。なお、操作パネルが筐体の上面に設けられている場合においても、操作部は、筐体の前方から観察されたときに正規の方向を向くように（つまり、操作部（タッチパネル式ディスプレイやキーボード）に表示される文字等の記号が正しい方向を向いているとユーザが認識できるように）配置されている。
・操作部は、タッチパネル式ディスプレイやキーボードに限定されず、ボタン等であってもよい。
・嵌合部を省略してもよい。
・接触部は、蓋の下端部分の内面に設けられることに限定されず、蓋の任意の部分（例えば、蓋の上端部分の内面等）に設けられてよい。
・接触部が未格納位置にあるタンクと接触するとき、開口の全体が蓋に覆われてもよい。
・吐出部は、ライン式及びシリアル式のいずれであってもよい。
・吐出部が吐出する液体は、インクに限定されず、任意の液体（例えば、インク中の成分を凝集又は析出させる処理液等）であってよい。
・記録媒体は、用紙に限定されず、記録可能な任意の媒体（例えば、布等）であってよい。
・本発明は、プリンタに限定されず、ファクシミリ、コピー機、複合機等にも適用可能である。
【符号の説明】
【００５９】
１  筐体
１ａ  前面
１ｃ  上面
１ｐ  凸部（嵌合部）
１ｑ  凹部（嵌合部）
１ｓ  突出部
１ｔ  タンク格納部
１ｘ  開口
３  吐出部
４  搬送部
５  受容部
６  スキャナ（画像読取部）
６ａ  カバー（回動部材）
６ａｘ  軸
８  操作パネル
８ａ  タッチパネル式ディスプレイ（操作部）
８ｂ  キーボード（操作部）
９；３０９  蓋
９ｐ  凸部（嵌合部）
９ｑ  凹部（嵌合部）
９ｒ  突起（接触部）
１０；２１０；３１０  プリンタ（液体吐出装置）
３０１ｇ  ガイド溝（嵌合部）
３０９ｒ  ガイドリブ（嵌合部）
３０９ｓ  弾性部材（嵌合部）
Ｏ  対向位置
Ｐ  用紙（記録媒体）
Ｔ  タンク
Ｔｂ  補充口
Ｔｃ  栓
【図１】
2018153961.tif 000003
【図２】
2018153961.tif 000004
【図３】
2018153961.tif 000005
【図４】
2018153961.tif 000006
【図５】
2018153961.tif 000007
【図６】
2018153961.tif 000008
【図７】
2018153961.tif 000009
【図８】
2018153961.tif 000010
【図９】
2018153961.tif 000011
【図１０】
2018153961.tif 000012